(57)【要約】  運転音を抑制しつつ在室する人の周囲の空気を効率的に清浄化することが可能な空気清浄機を提供する。  空気清浄機１は、ケーシング２、吸込口４、第一吹出口５Ａ，第二吹出口５Ｂ、第一送風手段６Ａ，第二送風手段６Ｂ、可動ルーバ９、整流機構１３、水平回転機構１５、赤外線センサ４０、制御手段２３等を備える。制御手段２３は、可動ルーバ９、整流機構１３及び水平回転機構１５を駆動することにより、第一吹出口５Ａ，第二吹出口５Ｂから吹出すそれぞれの吹出し空気の風向制御を実行する。風向制御では、赤外線センサ４０により複数の人の居る方向を検出し、吹出し空気の風向を人が居るそれぞれの方向に向ける。このとき、第一送風手段６Ａ，第二送風手段６Ｂのモータ６２Ａ，６２Ｂの回転数に回転数差を設ける回転数制御を実行する。
2015198418.tif 000002
【特許請求の範囲】
【請求項１】
室内の空気を吸込む吸込口と当該空気を吹出す第一吹出口及び第二吹出口とを有するケーシングと、
前記吸込口から前記ケーシングの内部に空気を吸込み、当該空気を前記第一吹出口から吹出す第一送風手段と、
前記吸込口から前記ケーシングの内部に空気を吸込み、当該空気を前記第二吹出口から吹出す第二送風手段と、
前記ケーシングの内部を流れる空気を清浄化する清浄化手段と、
前記第一吹出口及び第二吹出口から吹出す空気の風向を変更することが可能な風向可変機構と、
室内に存在する人を検出する人検出手段と、
前記第一送風手段、前記第二送風手段、及び前記風向可変機構を制御する制御手段と、
を備え、
前記制御手段は、前記人検出手段により人が検出されたときに、前記風向を人がいる方向に向ける風向制御を実行し、前記第一送風手段と前記第二送風手段の回転数に回転数差を設ける回転数制御を実行する構成とした空気清浄機。
【請求項２】
前記風向可変機構は、
前記第一吹出口から吹出す空気の第一風向を変更することが可能な第一風向可変機構と、
前記第二吹出口から吹出す空気の第二風向を変更することが可能な第二風向可変機構と、を含み、
前記制御手段は、前記人検出手段により第一人及び第二人を含む複数の人が検出されたときに、前記風向制御において、前記第一風向を前記第一人がいる方向に向け、且つ前記第二風向を前記第二人がいる方向に向ける構成とした請求項１に記載の空気清浄機。
【請求項３】
前記人検出手段は、室内に存在する人の位置を検出可能に構成され、
前記制御手段は、前記第一人が前記第二人よりも遠くに位置する場合に、前記回転数制御において、前記第一送風手段の回転数が前記第二送風手段の回転数よりも高くなるように前記回転数差を設ける構成とした請求項２に記載の空気清浄機。
【請求項４】
前記ケーシングを水平方向に回転可能な水平回転機構を備えて成る請求項１から請求項３の何れか１項に記載の空気清浄機。
【請求項５】
前記制御手段は、前記回転数制御において、前記第一送風手段及び第二送風手段の何れか一方の回転を停止させる構成とした請求項１から請求項４の何れか１項に記載の空気清浄機。
【請求項６】
前記第一送風手段を前記ケーシングの内部において支持するための第一支持部材と、
前記第二送風手段を前記ケーシングの内部において支持するための第二支持部材と、
を備え、
前記第一支持部材は前記第二支持部材と別体に構成されて成る請求項１から請求項５の何れか１項に記載の空気清浄機。
【請求項７】
前記第一送風手段と第一支持部材との間、及び前記第二送風手段と第二支持部材との間に、それぞれ防振部材を介在させて成る請求項６に記載の空気清浄機。
【請求項８】
室内の空気を吸込む吸込口と当該空気を吹出す第一吹出口及び第二吹出口とを有するケーシングと、
前記吸込口から前記ケーシングの内部に空気を吸込み、当該空気を前記第一吹出口から吹出す第一送風手段と、
前記吸込口から前記ケーシングの内部に空気を吸込み、当該空気を前記第二吹出口から吹出す第二送風手段と、
前記吸込口から前記第一送風手段に至る第一吸込風路と、
前記吸込口から前記第二送風手段に至る第二吸込風路と、
前記第一送風手段から前記第一吹出口に至る第一排気風路と、
前記第二送風手段から前記第二吹出口に至る第二排気風路と、
前記ケーシングの内部を流れる空気を清浄化する清浄化手段と、
前記第一送風手段、前記第二送風手段及び前記清浄化手段を制御する制御手段と、
を備え、
前記第一吸込風路の風路長が前記第二吸込風路の風路長の整数倍となるか、又は前記第一排気風路の風路長が前記第二排気風路の風路長の整数倍となるように構成されて成る空気清浄機。
【請求項９】
前記第一送風手段を前記ケーシングの内部において支持するための第一支持部材と、
前記第二送風手段を前記ケーシングの内部において支持するための第二支持部材と、
を備え、
前記第一支持部材は前記第二支持部材と別体に構成されて成る請求項８に記載の空気清浄機。
【請求項１０】
前記第一送風手段と第一支持部材との間、及び前記第二送風手段と第二支持部材との間に、それぞれ防振部材を介在させて成る請求項９に記載の空気清浄機。
【発明の詳細な説明】
【技術分野】
【０００１】
本発明は、複数のファンを備えた空気清浄機に関する。
【背景技術】
【０００２】
従来、例えば特許文献１には、複数のファンを用いたファンフィルター装置において、各ファンのモータの回転数を制御することでうなり音の発生を抑える技術が開示されている。
【先行技術文献】
【特許文献】
【０００３】
【特許文献１】日本特開２００４−２０５０９５号公報
【発明の概要】
【発明が解決しようとする課題】
【０００４】
上述した従来の空気清浄機では、うなり音の抑制のためにファン回転数を制御している。しかしながら、ファン回転数を変化させると風量及び風速も変化する。このため、風量又は風速を考慮せずにファン回転数を変化させると、送風対象領域である在室する人の周囲等への送風が不十分となり、本来の目的である空気の清浄化が非効率となるおそれがある。【０００５】
本発明は、上述の課題を解決するためになされたもので、運転音を抑制しつつ在室する人の周囲の空気を効率的に清浄化することが可能な空気清浄機を提供することを目的としている。
【課題を解決するための手段】
【０００６】
この発明に係る空気清浄機は、室内の空気を吸込む吸込口と当該空気を吹出す第一吹出口及び第二吹出口とを有するケーシングと、吸込口からケーシングの内部に空気を吸込み、当該空気を第一吹出口から吹出す第一送風手段と、吸込口からケーシングの内部に空気を吸込み、当該空気を第二吹出口から吹出す第二送風手段と、ケーシングの内部を流れる空気を清浄化する清浄化手段と、第一吹出口及び第二吹出口から吹出す空気の風向を変更することが可能な風向可変機構と、室内に存在する人を検出する人検出手段と、第一送風手段、第二送風手段、及び風向可変機構を制御する制御手段と、を備え、制御手段は、人検出手段により人が検出されたときに、風向を人がいる方向に向ける風向制御を実行し、第一送風手段と第二送風手段の回転数に回転数差を設ける回転数制御を実行する構成としたものである。
【発明の効果】
【０００７】
この発明によれば、室内に人が検出された場合に、風向が人の居る方向に向けられるとともに第一送風手段と第二送風手段の回転数に回転数差が設けられる。これにより、運転音を抑制しつつ在室する人の周囲の空気を効率的に清浄化することが可能な空気清浄機を提供することが可能となる。
【図面の簡単な説明】
【０００８】
【図１】本発明の実施の形態１による空気清浄機を示す斜視図である。
【図２】図１中の空気清浄機を示す縦断面図である。
【図３】可動ルーバ及び整流機構の作動状態（ａ），（ｂ）を示す図１中の要部拡大図である。
【図４】本発明の実施の形態１による空気清浄機の制御系統を示す構成図である。
【図５】本発明の実施の形態２による空気清浄機を示す縦断面図である。
【発明を実施するための形態】
【０００９】
以下、図面を参照してこの発明を実施するための形態について説明する。なお、各図中において、同一又は相当する部分には同一の符号を付して、重複する説明は適宜に簡略化ないし省略する。また、本発明は以下の実施の形態に限定されることなく、本発明の趣旨を逸脱しない範囲で種々変形することが可能である。
【００１０】
実施の形態１．
図１から図４を参照して、本発明の実施の形態１について説明する。図１は、本発明の実施の形態１による空気清浄機を示す斜視図である。また、図２は、図１中の空気清浄機を示す縦断面図である。これらの図に示すように、本実施の形態の空気清浄機１は、床面設置型の空気清浄機として構成されている。空気清浄機１は、ケーシング２、台座３、吸込口４、第一吹出口５Ａ，第二吹出口５Ｂ、第一送風手段６Ａ，第二送風手段６Ｂ、風路７Ａ，７Ｂ、清浄化手段８、可動ルーバ９Ａ，９Ｂ、ルーバ駆動部１０Ａ，１０Ｂ、開口可変機構１１、開口駆動部１２、整流機構１３Ａ，１３Ｂ、整流駆動部１４、水平回転機構１５、及び制御手段２３等を備えている。なお、以下の説明において、第一吹出口５Ａ，第二吹出口５Ｂ、第一送風手段６Ａ，第二送風手段６Ｂ、風路７Ａ，７Ｂ、可動ルーバ９Ａ，９Ｂ、ルーバ駆動部１０Ａ，１０Ｂ、及び整流機構１３Ａ，１３Ｂのそれぞれを特に区別しないときには、それぞれ吹出口５、送風手段６、風路７、可動ルーバ９、ルーバ駆動部１０、及び整流機構１３と表記する場合がある。
【００１１】
ケーシング２は、例えば略四角形の角筒状に形成され、部屋の床面に設置される台座３により水平方向に回転可能な状態で支持されている。ケーシング２の内部空間のうち、吸込口４から吹出口５に至る空間には、図２に示すように、清浄化手段８、送風手段６及び風路７が上流から下流に向けて順に配置されている。なお、以下の説明では、ケーシング２の側面部のうち、主として室内の空間に面して配置される部分を正面部と表記し、正面部と対向する部分を背面部と表記する。また、ケーシング２の正面部が面した方向を前方と表記し、前方からみたケーシング２の左右両側に対応する方向を左右方向と表記し、更に、場合によっては鉛直方向を上下方向と表記する。空気清浄機１は、例えば部屋の何れかの壁に近い位置で床面上に設置され、ケーシング２の背面部を当該壁面に向けると共にケーシング２の正面部を室内の空間に向けた状態で使用される。
【００１２】
吸込口４は、室内の空気をケーシング２の内部に吸込むための開口部であり、例えばケーシング２の正面部に設けられている。吹出口５は、ケーシング２の内部に吸込まれた空気を外部に吹出すための開口部であり、例えばケーシング２の上面部に開口した２個の第一吹出口５Ａ，第二吹出口５Ｂにより構成されている。２個の第一吹出口５Ａ，第二吹出口５Ｂは、ケーシング２の左右方向に沿って互いに並行に延びている。なお、吹出口５から吹出す空気は「吹出し空気」と表記する場合がある。また、本発明では、吸込口４を、ケーシング２の背面部、側面部、下面部等に配置してもよいし、吹出口５を、ケーシング２の正面部、側面部等に配置してもよい。さらに、ケーシング２には３個以上の吹出口５を配置してもよい。
【００１３】
送風手段６は、吸込口４からケーシング２の内部に空気を吸込んで当該空気を吹出口５から吹出すもので、２個の第一送風手段６Ａ，第二送風手段６Ｂにより構成されている。第一送風手段６Ａ，第二送風手段６Ｂは、当該送風手段の本体部分であるファン６１Ａ，６１Ｂと、ファン６１Ａ，６１Ｂを回転させる電動式のモータ６２Ａ，６２Ｂと、モータ６２Ａ，６２Ｂの回転数を検知する回転数センサ６３Ａ，６３Ｂをそれぞれ備えている。ファン６１Ａ，６１Ｂの回転数は、制御手段２３により制御されるもので、当該回転数に応じて吹出し空気の風量が変更される。ケーシング２の内部には、図２に示すように、例えば２個の第一送風手段６Ａ，第二送風手段６Ｂが前後方向に位置をずらした状態で、上下方向に並べて配置されている。この際、第一送風手段６Ａ，第二送風手段６Ｂのモータ６２Ａ，６２Ｂは、別体として構成された個別の第一支持部材，第二支持部材（何れも図示せず）に防振部材を介して取り付けられている。第一送風手段６Ａ，第二送風手段６Ｂが駆動されると、モータ６２Ａ，６２Ｂで発生する電磁振動、及びファン６１Ａ，６１Ｂの回転に伴い発生する風によってファンケーシングで生じる振動が発生する。上述した第一送風手段６Ａ，第二送風手段６Ｂの取り付け構造によれば、防振部材によって第一送風手段６Ａ，第二送風手段６Ｂの個々の振動が抑制されるとともに、各第一送風手段６Ａ，第二送風手段６Ｂにおいて発生した上記振動が互いに伝播することが抑制される。
【００１４】
また、ケーシング２の内部には、送風手段６と吹出口５とを接続し、送風手段６から吹出された空気を吹出口５に案内する風路７が設けられている。風路７は、ケーシング２の内部に設けられた隔壁２Ａにより、正面側の風路７Ａと背面側の風路７Ｂとに分割されている。２つの風路７Ａ，７Ｂは、ケーシング２の内部で上下方向に伸長し、例えば水平断面で見ると、前後方向に並列に配置されている。
【００１５】
風路７Ａ，７Ｂの下部側は、それぞれ異なる送風手段６に接続され、風路７Ａ，７Ｂの上部側は、それぞれ第一吹出口５Ａ，第二吹出口５Ｂに接続されている。即ち、空気清浄機１は、一方の送風手段６から風路７Ａを介して第一吹出口５Ａに到達する第１の送風系統と、他方の送風手段６から風路７Ｂを介して第二吹出口５Ｂに到達する第２の送風系統とを備えており、これらの送風系統では、風量、風向及び風速を別々に制御することができる。
【００１６】
このように、実施の形態１では、ケーシング２の内部に隔壁２Ａを配置し、２個の風路７Ａ，７Ｂを前後方向に並列に形成している。また、２個の第一送風手段６Ａ，第二送風手段６Ｂのうち、少なくとも図２中の上側に位置する一方の第一送風手段６Ａは、ファン６１Ａの内部にモータ６２Ｂの一部が埋込まれたモータ内蔵型の送風手段により構成されている。これにより、ケーシング２の内部に２つの送風系統を効率よく形成しながら、空気清浄機１の設置面積を小型化することができ、小型で高性能な空気清浄機１を実現することができる。
【００１７】
清浄化手段８は、ケーシング２の内部を通過する空気を清浄化するもので、例えば吸込口４と送風手段６との間に設けられている。ここで、「清浄化」とは、例えば空気中に浮遊する塵埃、煙、花粉、ウイルス、カビ、菌、アレルゲン、臭気分子等からなる汚染物質を除去することを意味するもので、具体的には、これらの汚染物質を捕集、不活性化、吸着又は分解する動作を意味している。本実施の形態の清浄化手段８は、このような清浄化が可能な手段として、例えば空気中の塵埃等を捕集する集塵フィルタ、臭気成分を吸着する脱臭フィルタ、電極に高電圧を印加することで汚染物質を除去及び分解する電圧印加デバイス等により構成されるか、またはこれらの組み合わせにより構成されている。
【００１８】
空気の流れ方向において清浄化手段８の上流側には、ケーシング２の内部に吸込んだ汚染物質の量を検知する汚れ検出手段２０が設けられている。汚れ検出手段２０は、例えば埃センサ、ガスセンサ、風速センサ等により構成されるか、または、これらのセンサを組合わせた複合型センサにより構成されている。汚れ検出手段２０によれば、空気清浄機１により特定の方向に空気を吹出し、この方向から還流してくる空気中の汚染物質の量を検出することにより、特定の方向における空気の汚れ度合を検出することができる。
【００１９】
図３は、可動ルーバ及び整流機構の作動状態（ａ），（ｂ）を示す図１中の要部拡大図である。可動ルーバ９Ａ，９Ｂは、図２及び図３に示すように、吹出し空気の風向を上下方向に揺動させるもので、ケーシング２の個々の第一吹出口５Ａ，第二吹出口５Ｂに設けられている。詳しく述べると、可動ルーバ９Ａ，９Ｂは、例えばケーシング２の左右方向に延在する細長い平板等により形成されている。そして、可動ルーバ９Ａ，９Ｂの基端側は、第一吹出口５Ａ，第二吹出口５Ｂにそれぞれ設けられたルーバ駆動部１０Ａ，１０Ｂを介して個々の第一吹出口５Ａ，第二吹出口５Ｂに取付けられ、可動ルーバ９Ａ，９Ｂの先端側は、ルーバ駆動部１０Ａ，１０Ｂにより上下方向に揺動可能となっている。また、２個の可動ルーバ９Ａ，９Ｂは、第一吹出口５Ａ，第二吹出口５Ｂから吹出す空気のそれぞれの風向である第一風向，第二風向を個別に変更可能に構成されている。なお、本実施の形態では、２個の可動ルーバ９Ａ，９Ｂを備える場合を例示したが、本発明は、吹出口５の個数に応じて３個以上の可動ルーバ９を備える構成としてもよい。
【００２０】
可動ルーバ９Ａ，９Ｂは、上下方向に揺動することにより、当該揺動角に応じて吹出し空気の風向を前方と上方との間で上下方向にスイングさせる。風向の仰角は、可動ルーバ９の仰角とほぼ等しい角度に変更される。なお、本明細書において、「仰角」とは、床面と平行な水平方向を基準として、上方に傾斜した角度を意味している。即ち、仰角＝０°は水平方向を表し、仰角＝９０°は鉛直方向の真上を表している。
【００２１】
ルーバ駆動部１０Ａ，１０Ｂは、可動ルーバ９Ａ，９Ｂを揺動可能に支持する支軸と、この支軸を回転させるアクチュエータ（図示せず）とを備えている。可動ルーバ９Ａ，９Ｂ及びルーバ駆動部１０Ａ，１０Ｂは、吹出し空気の風向を上下方向に変更することが可能な風向可変機構の具体例を構成している。開口可変機構１１は、図２に示すように、例えば片方の可動ルーバ９と前後方向で対向する位置に設けられ、当該可動ルーバ９と協働して第一吹出口５Ａの開口面積を変更するものである。なお、図１及び図３では、後述の整流機構１３を明示するために、開口可変機構１１の図示を省略している。また、図２では、一方の第一吹出口５Ａのみに開口可変機構１１を配置する場合を例示したが、本発明はこれに限らず、他方の第二吹出口５Ｂのみ、または第一吹出口５Ａ及び第二吹出口５Ｂの両方に開口可変機構１１を配置する構成としてもよい。
【００２２】
開口可変機構１１は、例えばケーシング２の左右方向に延在する細長い平板等により形成されている。開口可変機構１１の基端部は、ルーバ駆動部１０とほぼ同様の構成を有する開口駆動部１２を介して第一吹出口５Ａに取付けられている。開口可変機構１１の先端部は、開口駆動部１２により前後方向に揺動され、可動ルーバ９に対して近接及び離間するように変位する。これにより、開口可変機構１１は、第一吹出口５Ａの開口面積を増減させ、当該開口面積に応じて吹出し空気の風速を変更することができる。なお、開口可変機構１１は、吹出口５ではなく風路７Ａ，７Ｂの一方または両方に配置し、風路７の開口面積（つまり流路面積）を変更する機構としてもよい。
【００２３】
整流機構１３Ａ（第一風向可変機構），整流機構１３Ｂ（第二風向可変機構）は、可動ルーバ９により設定された風向の仰角を保持した状態で、第一吹出口５Ａ，第二吹出口５Ｂから吹出す空気の風向を左右方向に独立して調整する風向可変機構である。整流機構１３Ａ，１３Ｂは、図２及び図３に示すように、例えば略三角形状（又は扇形状）のフィンにより形成され、各可動ルーバ９の受風面側から突出すると共に、左右方向に間隔をもって複数個配置されている。そして、個々の整流機構１３Ａ，１３Ｂは、図３（ａ），（ｂ）に示すように、左右方向に揺動し、当該揺動角に応じて吹出し空気の風向を左右方向に変化させる。
【００２４】
また、整流機構１３Ａ，１３Ｂの揺動動作は、例えば可動ルーバ９に設けられた整流駆動部１４（図４にのみ図示）により実行される。すなわち、整流機構１３及び整流駆動部１４は、吹出し空気の風向を左右方向に変更することが可能な風向可変機構の具体例を構成している。
【００２５】
水平回転機構１５は、図１及び図２に示すように、ケーシング２と台座３との間に設けられ、ケーシング２を台座３上で少なくとも左右方向に回転させるものである。吹出口５の向きは、ケーシング２と共に水平方向に変化するので、水平回転機構１５は、吹出し空気の風向を左右方向に変更することが可能な風向可変機構の具体例を構成している。
【００２６】
また、ケーシング２の正面上部側には人検出手段２１が設けられている。人検出手段２１は、室内に存在する人を検出する手段として機能するものである。人検出手段２１は、赤外線を利用して人を検出する人検出センサとしての赤外線センサ４０と、当該赤外線センサ４０の向きをケーシング２に対して水平方向（つまり左右方向の両側）に回転駆動させるセンサ水平回転機構としてのセンサ稼動部４４とを備えている。なお、人検出手段２１の詳細については後述する。
【００２７】
（制御系統）
次に、図４等を参照して、空気清浄機１の制御系統について説明する。図４は、本発明の実施の形態１による空気清浄機の制御系統を示す構成図である。空気清浄機１は、赤外線センサ４０、回転数センサ６３及び汚れ検出手段２０を含むセンサ系統と、空気清浄機１を操作するための操作部２２と、空気清浄機１の運転状態を制御する制御手段２３とを備えている。
【００２８】
一方、操作部２２は、空気清浄機１のユーザが各種の設定及び運転の切換を行うときに操作するもので、空気清浄機１を起動及び停止するための電源スイッチと、空気清浄機１の運転状態等を表示する表示部とを備えている。また、操作部２２は、制御手段２３に対して双方向の通信が可能な状態で接続されている。
【００２９】
制御手段２３は、空気清浄機１の運転状態を制御するもので、図示しない演算処理装置、入出力ポート及び記憶回路等を備えている。制御手段２３の入力側には、図４に示すように、赤外線センサ４０、回転数センサ６３及び汚れ検出手段２０を含むセンサ系統が接続されている。制御手段２３の出力側には、送風手段６、清浄化手段８、ルーバ駆動部１０、開口駆動部１２、整流駆動部１４、水平回転機構１５、センサ稼動部４４等を含むアクチュエータが接続されている。そして、制御手段２３は、センサ系統の出力に基いてアクチュエータを制御することにより、空気清浄機１を作動させる。
【００３０】
次に、空気清浄機１の基本的な動作について説明する。空気清浄機１の作動時には、まず、制御手段２３により送風手段６及び清浄化手段８が駆動される。これにより、ケーシング２の吸込口４から内部に空気が吸込まれ、この空気は、清浄化手段８により清浄化される。そして、清浄化された空気は、各送風手段６及び風路７Ａ，７Ｂを経由して第一吹出口５Ａ，第二吹出口５Ｂに到達し、第一吹出口５Ａ，第二吹出口５Ｂからそれぞれ外部に送風される。このとき、本実施の形態の空気清浄機１の制御手段２３は、人検出手段２１を用いて室内に居る人の方向を検出する人検出制御、及び検出された人の頭上のエリアに吹出風が送風されるように可動ルーバ９、整流機構１３、水平回転機構１５、送風手段６等を駆動する風向制御を行う。以下、人検出手段２１の構成、人検出制御、及び風向制御について順に説明する。
【００３１】
（人検出手段の構成）
人検出手段２１は、赤外線センサ４０とセンサ稼動部４４とを備えている。赤外線センサ４０は、検出対象物から発生する赤外線を検出するものである。受光素子の個数は単数でも複数としてもよい。
【００３２】
センサ稼動部４４は、赤外線センサ４０の向きをケーシング２に対して水平方向に回転可能に構成されている。センサ稼動部４４は、例えば、赤外線センサ４０の回転駆動角度を正確に調整可能なステッピングモータが用いられ、上述した水平回転機構１５の動作とは独立して制御可能に構成される。人検出手段２１は、センサ稼動部４４により赤外線センサ４０の向き（検出方向）を左右方向に回転駆動する動作を繰り返し行うことにより、室内の温度検出対象範囲を左右方向に走査して温度を順に検出する。
【００３３】
（人検出制御）
次に、制御手段２３により実行される人検出制御について説明する。制御手段２３は、人検出手段２１を用いて室内の壁又は床の熱画像データを取得し、当該熱画像データに基づいて室内に在室する人の検出を行う。
【００３４】
このような人検出手段２１の構成によれば、赤外線センサ４０の左右方向の可動範囲において、熱画像データを時間毎に比較することにより、室内空間内に現れた人の方向及び単独の人か複数の人かを検出することができる。
【００３５】
なお、人検出手段２１は、必ずしも赤外線センサ４０により構成する必要はなく、室内に居る人の方向及びその高さを検出可能なセンサであれば、汚れセンサ、動体センサ、距離センサ、湿度センサ、又は照度センサ等、またはこれらのセンサと赤外線センサ４０とを組み合わせることにより構成してもよい。ここで、汚れセンサ（埃センサ）は、半導体素子、光学素子等により構成され、空気中の塵埃、煙、花粉等の濃度を検出する。距離センサは、例えば超音波センサ、光センサ、画像認識センサ等の非接触式センサにより構成され、音波または電磁波を利用して、空気清浄機１と検出対象物との距離を検出する。検出対象物には、室内における壁、天井、家具、人、動物等が含まれる。照度センサは、照度の変化に基づいて、室内における人及び動物の有無、動き等を検出する。また、湿度センサの出力は、上記各センサの感度を湿度に応じて補正するときに用いられる。なお、上記各センサの組合わせは一例に過ぎず、本発明は、上記各センサの組合わせによる人検出手段に限定されるものではない。
【００３６】
（風向制御）
次に、制御手段２３により実行される風向制御について説明する。本実施の形態の空気清浄機では、人検出手段２１によって単独の人が検出されるか複数の人が検出されるかによって、異なる風向制御を実行する。先ず、人検出手段２１によって単独の人が検出された場合の風向制御について説明する。制御手段２３は、人検出手段２１の赤外線センサ４０により取得された熱画像データに基づいて、室内に単独の人が存在すると判断した場合に、当該検出された人の方向へ向けた風向制御を実行する。この風向制御では、先ず、空気清浄機１の正面部を人の方向に向けるために必要な水平方向の回転角度θ１を算出する。次に、制御手段２３は、水平回転機構１５によりケーシング２を回転角度θ１だけ回転させる。これにより、吹出口５は、水平方向において人がいる方向に向いた状態となる。
【００３７】
このとき、送風手段６は、回転数センサ６３Ａ，６３Ｂによって検知されるモータ６２Ａ，６２Ｂの回転数が同回転数となるように制御される。これにより、第一吹出口５Ａ，第二吹出口５Ｂから室内に在室する人に吹出風が送風される。
【００３８】
また、上記風向制御により人の送風エリアに送風が行われている間、制御手段２３は、汚れ検出手段２０を用いて、吸込口４から吸い込まれる空気の汚れ度合を常に検出している。そして、制御手段２３は、検出された汚れ度合が閾値以下となったか否かを判定する。ここで、閾値は、空気が清浄されたことを示す汚れ度合の閾値として予め設定された値が用いられる。その結果、検出された汚れ度合が閾値以下となったと判定された場合には、現在の風向のエリアの空気は十分に清浄化されたと判断できるので、当該風向に対する風向制御を終了する。次に、制御手段２３は、他の人が居るか否かを判定する。その結果、室内に他の人が居ると判定された場合には、次に、当該他の人を対象とした風向制御を実行する。これにより、例えば、他の人が途中で入室した場合であっても当該他の人の方向に対して順次送風を行うことができる。
【００３９】
一方、室内に他の人が在室していないと判定された場合には、送風を継続しつつ水平回転機構１５を駆動させて吹出し空気の風向を変更し、汚れ検出手段２０によって閾値よりも大きな汚れ度合が検出される風向があるか否かを確認する。その結果、汚れ度合が閾値よりも大きな値となる風向が存在する場合には、当該風向に向けて重点的に吹出し空気の送風を行う第二風向制御を行う。一方、汚れ度合が閾値よりも大きな値となる風向が存在しない場合には、空気清浄機１の水平回転機構１５を初期位置に戻して風量を下げた運転を行う。このような制御を行うことにより、室内に人が居ない場合であっても汚れ度合が大きいエリアの空気を重点的に清浄化することができる。
【００４０】
ところで、上述した風向制御では、人検出制御によって検出された在室している人の方向に基づいて、風向を調整することとしているが、在室している人が室内を移動することも想定される。そこで、人検出制御は常に動作させて在室している人の動きを常に監視し、在室している人が移動した場合にはそれを受けて風向制御の送風エリアも変更することが望ましい。これにより、在室している人が移動した場合であっても、在室する人に対して不快感を与えることなく、人の周囲の空気を効率的に清浄化することが可能となる。
【００４１】
次に、人検出手段２１によって複数の人が検出された場合の風向制御について説明する。制御手段２３は、人検出手段２１の赤外線センサ４０により取得された熱画像データに基づいて、室内に複数の人（例えば、第一人及び第二人）が存在すると判断した場合に、複数方向への風向制御を実行する。この風向制御では、先ず、第一吹出口５Ａから吹出す空気の水平方向が第一人の方向となり且つ第二吹出口５Ｂから吹出す空気の水平方向が第二人の方向となるように、空気清浄機１の水平方向の回転角度θ１、および整流機構１３Ａ，１３Ｂの揺動角を算出する。なお、このような風向を実現するための回転角度θ１と揺動角との組み合わせは複数存在するが、何れの組み合わせを採用してもよい。但し、整流機構１３Ａ，１３Ｂによる風向の調整は人の真上へ精度よく送風することが難しく左右方向にズレが生じ易い。また、整流機構１３Ａ，１３Ｂによる風向の調整は、特に左右端へ送風する際の圧力損失が大きいという特徴もある。このため、複数方向への風向制御においては、これらの特性を勘案しつつ第一人及び第二人への水平方向の風向を高精度に実現可能な回転角度θ１及び揺動角を適宜採用すればよい。次に、制御手段２３は、水平回転機構１５によりケーシング２を回転角度θ１回転させるとともに、整流機構１３Ａ，１３Ｂを算出された揺動角に動作させる。これにより、第一吹出口５Ａは水平方向において第一人がいる方向に向いた状態となり、且つ、第二吹出口５Ｂは水平方向において第二人がいる方向に向いた状態となる。
【００４２】
このとき、回転数センサ６３Ａ，６３Ｂによって検知されるモータ６２Ａ，６２Ｂの回転数に差がつくように、送風手段６の回転数制御が実行される。このような回転数差としては、各第一送風手段６Ａ，第二送風手段６Ｂから発生する流体音の波長又は振幅の合成波による音が人の耳に聞こえづらい周波数帯となるように設定される。例えば、モータ６２の回転数Ｎとファン６１の羽根枚数Ｚから決定されるＮＺ音が打ち消し合う波長となる回転数差に設定される。これにより、送風手段６から発生する耳障りなうなり音の発生を抑制することができるので、使用者に不快感を与えることなく空気の清浄化を行うことが可能となる。なお、上述した回転数差は、送風手段６から発生する運転音が低減されるのであればＮＺ音が打ち消し合う波長となる回転数差に限られない。
【００４３】
なお、モータ６２Ａ，６２Ｂの回転数に回転数差を設ける場合には、第一人と第二人のうち空気清浄機１から遠い場所に位置する人への送風に対応するモータの回転数が他方よりも大きくなるように回転数差を設けることが好ましい。これにより、より遠い場所の人への送風の風量及び風速を増加させることができるので、運転音を低減させるとともに人の周囲の空気の清浄化を効率よく行うことが可能となる。
【００４４】
以上説明したように、本実施の形態の空気清浄機によれば、吹出口５から吹出される清浄空気を直接人に当てずに且つ人の方向に送風させることができる。この際、吹出風は高速であるため、人の居るエリアから空気清浄機１の吸込口４への誘引気流が発生する。また、吹出風は清浄された空気であるため、周囲との濃度勾配による気流も発生する。これにより、人の居るエリアの埃を吸込口４へ有効に誘引して人の周囲を優先的に浄化することができる。
【００４５】
また、本実施の形態の空気清浄機によれば、風向制御において、整流機構１３及び水平回転機構１５によって左右方向の風向を調整し、可動ルーバ９によって上下方向の風向を調整することとしている。これにより、風向制御を高精度に行うことができるので、在室している人に対して常に同じ効果を安定して提供することが可能となる。
【００４６】
また、本実施の形態の空気清浄機によれば、整流機構１３を左右別の方向へ向けることで室内の左右方向に広がった気流を発生させることができる。これにより、複数人の人が在室し、人のいるエリアが広い場合にもその頭上への送風を広く網羅することができる。
【００４７】
また、本実施の形態の空気清浄機によれば、人検出手段２１による人検出制御が風向制御とは個別に動作するように構成されている。このため、風向を変化させずに広い範囲で人を検知することができる。また、風向制御の実行中に常に人を見張ることができるので、人の動作に対して柔軟に対応することができる。
【００４８】
また、本実施の形態の空気清浄機によれば、風向制御において、モータ６２Ａ，６２Ｂに回転数差が設けられるので、送風手段６の運転音を低減しつつ人の周囲の空気の清浄化を効率よく行うことができる。
【００４９】
ところで、人検出手段２１では、例えば人が椅子等に座っている場合に、足元を検知することができないことが想定される。また、人検出手段２１では、例えば家具に体が隠れてしまう場合には、誤って人が居ないと判断してしまうことが想定される。このような人検出手段２１による誤検出があると、意図する風向制御が行われずに空気清浄動作を効率よく行うことができないおそれがある。そこで、本実施の形態１の空気清浄機では、家の間取り又は障害物に関する室内情報を入力する手段を備える構成としてもよい。より詳しくは、例えば室内の家具、窓又は扉の位置、又は部屋の広さ等の室内情報を入力しておく室内情報取得手段を備え、この入力された情報を用いて風向制御における風向を補正することとしてもよい。
【００５０】
なお、上述した室内情報取得手段は、データを直接入力する形態に限らず、例えば、人検出手段２１に超音波センサ等を合わせて持たせることとし、間取り情報をセンシングする構成でもよい。また、公知の通信手段によって、スマートフォン又はパソコン等の外部機器と連動可能な構成とし、これらの外部機器から通信によって間取り情報を取得する形態でもよい。また、通信手段には、他の製品からのセンシング情報又は動作情報、位置情報を受信可能な機能を持たせることが望ましい。これにより、例えばエアコンにて高い位置から得た人情報を取得し、家具に隠れた人を見つけるような動作が可能となる。また、冷蔵庫、掃除機、電子レンジ、又はＴＶ等の動作情報又は位置情報を取得し、人以外の熱源を予め把握しておくことで、誤検知を防止することも可能となる。
【００５１】
また、上述した実施の形態の空気清浄機では、単独の人が検出された場合の風向制御において、回転数センサ６３Ａ，６３Ｂによって検知されるモータ６２Ａ，６２Ｂの回転数が同回転数となるように送風手段６の回転数制御を行うこととしたが、複数の人が検知された場合の風向制御と同様にモータ６２Ａ，６２Ｂの回転数に回転数差を設けることとしてもよい。また、回転数差を設ける構成として、例えば、モータ６２Ａ，６２Ｂの何れか一方を停止させることとしてもよい。これにより、単独の人が検出された場合の風向制御においても、運転音を低減させることが可能となる。
【００５２】
また、上述した実施の形態の空気清浄機では、風向制御において、風向が人の高さよりも上方の送風エリアに向くように、上下方向における可動ルーバ９の仰角θ２を設定することとしたが、上下方向の風向はこれに限られない。すなわち、左右方向の風向を人に向けるとともに回転数センサ６３Ａ，６３Ｂによって検知されるモータ６２Ａ，６２Ｂの回転数に回転数差を設けることとすれば、少なくとも送風手段６から発生する耳障りなうなり音の発生を抑制しつつ人の周囲の空気を清浄化する効果を奏することができる。
【００５３】
実施の形態２．
図５を参照して、本発明の実施の形態２について説明する。図５は、本発明の実施の形態２による空気清浄機を示す縦断面図である。この図に示すように、本発明の実施の形態２の空気清浄機は、上述した図１に示す空気清浄機１と同様の構成を備えている。但し、本実施の形態２の空気清浄機では、風路７Ａと風路７Ｂとの風路長比率に特徴を有している。
【００５４】
風路７Ａは、第一送風手段６Ａと清浄化手段８との間に構成される第一吸込風路７１Ａと、第一送風手段６Ａと第一吹出口５Ａとの間に形成された第一排気風路７２Ａと、により構成されている。また、風路７Ｂは、第二送風手段６Ｂと清浄化手段８との間に構成される第二吸込風路７１Ｂと、第一送風手段６Ａと第二吹出口５Ｂとの間に形成された第二排気風路７２Ｂと、により構成されている。そして、第二排気風路７２Ｂの風路長ＨＢは、第一排気風路７２Ａの風路長ＨＡの整数倍（例えば２倍）とされる。また、第二吸込風路７１Ｂの風路長ＤＢは、第一吸込風路７１Ａの風路長ＤＡの整数倍（例えば２倍）とされる。
【００５５】
上述した風路構成によれば、第一吸込風路７１Ａ，第二吸込風路７１Ｂ、第一排気風路７２Ａ，第二排気風路７２Ｂを流れる空気によって発生する空間共鳴音を、音波位相の関係から互いに打ち消すことができる。これにより、送風手段６の駆動によって発生する音が風路内で共鳴する際に、風路間で増幅せずに抑制しあうので、運転音を効果的に抑制することが可能となる。
【００５６】
ところで、上述した実施の形態２の空気清浄機では、第一吸込風路７１Ａ，第二吸込風路７１Ｂの風路長及び第一排気風路７２Ａ，第二排気風路７２Ｂの風路長の両方を整数倍の関係に構成することとしたが、第一吸込風路７１Ａ，第二吸込風路７１Ｂの風路長又は第一排気風路７２Ａ，第二排気風路７２Ｂの風路長のみを整数倍にすることでもよい。
【００５７】
また、上述した実施の形態２の空気清浄機の風路構成は、実施の形態１の空気清浄機の制御と組み合わせることとしてもよい。
【符号の説明】
【００５８】
１  空気清浄機、２  ケーシング、２Ａ  隔壁、３  台座、４  吸込口、５  吹出口、５Ａ  第一吹出口、５Ｂ  第二吹出口、６  送風手段、６Ａ  第一送風手段、６Ｂ  第二送風手段、６１，６１Ａ，６１Ａ  ファン、６２，６２Ａ，６２Ｂ  モータ、７，７Ａ，７Ｂ  風路、８  清浄化手段、９，９Ａ，９Ｂ  可動ルーバ（風向変更手段）、１０，１０Ａ，１０Ｂ  ルーバ駆動部、１１  開口可変機構、１２  開口駆動部、１３，１３Ａ，１３Ｂ  整流機構（風向変更手段）、１４  整流駆動部、１５  水平回転機構（風向変更手段）、２０  汚れ検出手段、２１  人検出手段、２２  操作部、２３  制御手段、４０  赤外線センサ、４４  センサ稼動部
【図１】
2015198418.tif 000003
【図２】
2015198418.tif 000004
【図３】
2015198418.tif 000005
【図４】
2015198418.tif 000006
【図５】
2015198418.tif 000007
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
室内の空気を吸込む吸込口と当該空気を吹出す第一吹出口及び第二吹出口とを有するケーシングと、
前記吸込口から前記ケーシングの内部に空気を吸込み、当該空気を前記第一吹出口から吹出す第一送風手段と、
前記吸込口から前記ケーシングの内部に空気を吸込み、当該空気を前記第二吹出口から吹出す第二送風手段と、
前記ケーシングの内部を流れる空気を清浄化する清浄化手段と、
前記第一吹出口及び第二吹出口から吹出す空気の風向を変更することが可能な風向可変機構と、
室内に存在する人を検出する人検出手段と、
前記第一送風手段、前記第二送風手段、及び前記風向可変機構を制御する制御手段と、
を備え、
前記制御手段は、前記人検出手段により人が検出されたときに、前記風向を人がいる方向に向ける風向制御を実行し、前記第一送風手段と前記第二送風手段の回転数に回転数差を設ける回転数制御を実行する構成とした空気清浄機。
【請求項２】
前記風向可変機構は、
前記第一吹出口から吹出す空気の第一風向を変更することが可能な第一風向可変機構と、
前記第二吹出口から吹出す空気の第二風向を変更することが可能な第二風向可変機構と、を含み、
前記制御手段は、前記人検出手段により第一人及び第二人を含む複数の人が検出されたときに、前記風向制御において、前記第一風向を前記第一人がいる方向に向け、且つ前記第二風向を前記第二人がいる方向に向ける構成とした請求項１に記載の空気清浄機。
【請求項３】
前記人検出手段は、室内に存在する人の位置を検出可能に構成され、
前記制御手段は、前記第一人が前記第二人よりも遠くに位置する場合に、前記回転数制御において、前記第一送風手段の回転数が前記第二送風手段の回転数よりも高くなるように前記回転数差を設ける構成とした請求項２に記載の空気清浄機。
【請求項４】
前記ケーシングを水平方向に回転可能な水平回転機構を備えて成る請求項１から請求項３の何れか１項に記載の空気清浄機。
【請求項５】
前記制御手段は、前記回転数制御において、前記第一送風手段及び第二送風手段の何れか一方の回転を停止させる構成とした請求項１から請求項４の何れか１項に記載の空気清浄機。
【請求項６】
前記第一送風手段を前記ケーシングの内部において支持するための第一支持部材と、
前記第二送風手段を前記ケーシングの内部において支持するための第二支持部材と、
を備え、
前記第一支持部材は前記第二支持部材と別体に構成されて成る請求項１から請求項５の何れか１項に記載の空気清浄機。
【請求項７】
前記第一送風手段と第一支持部材との間、及び前記第二送風手段と第二支持部材との間に、それぞれ防振部材を介在させて成る請求項６に記載の空気清浄機。
【請求項８】
前記吸込口から前記第一送風手段に至る第一吸込風路と、
前記吸込口から前記第二送風手段に至る第二吸込風路と、
前記第一送風手段から前記第一吹出口に至る第一排気風路と、
前記第二送風手段から前記第二吹出口に至る第二排気風路と、
を備え、
前記第一吸込風路の風路長が前記第二吸込風路の風路長の整数倍となるか、又は前記第一排気風路の風路長が前記第二排気風路の風路長の整数倍となるように構成されて成る請求項１から請求項７の何れか１項に記載の空気清浄機。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
室内の空気を吸込む吸込口と当該空気を吹出す第一吹出口及び第二吹出口とを有するケーシングと、
前記吸込口から前記ケーシングの内部に空気を吸込み、当該空気を前記第一吹出口から吹出す第一送風手段と、
前記吸込口から前記ケーシングの内部に空気を吸込み、当該空気を前記第二吹出口から吹出す第二送風手段と、
前記ケーシングの内部を流れる空気を清浄化する清浄化手段と、
前記第一吹出口及び第二吹出口から吹出す空気の風向を変更することが可能な風向可変機構と、
室内に存在する人を検出する人検出手段と、
前記第一送風手段、前記第二送風手段、及び前記風向可変機構を制御する制御手段と、
を備え、
前記制御手段は、前記人検出手段により人が検出されたときに、前記風向を人がいる方向に向ける風向制御を実行し、前記第一送風手段と前記第二送風手段の回転数に回転数差を設ける回転数制御を実行し、
前記風向可変機構は、
前記第一吹出口から吹出す空気の第一風向を変更することが可能な第一風向可変機構と、
前記第二吹出口から吹出す空気の第二風向を変更することが可能な第二風向可変機構と、を含み、
前記制御手段は、前記人検出手段により第一人及び第二人を含む複数の人が検出されたときに、前記風向制御において、前記第一風向を前記第一人がいる方向に向け、且つ前記第二風向を前記第二人がいる方向に向ける構成とした空気清浄機。
【請求項２】
室内の空気を吸込む吸込口と当該空気を吹出す第一吹出口及び第二吹出口とを有するケーシングと、
前記吸込口から前記ケーシングの内部に空気を吸込み、当該空気を前記第一吹出口から吹出す第一送風手段と、
前記吸込口から前記ケーシングの内部に空気を吸込み、当該空気を前記第二吹出口から吹出す第二送風手段と、
前記ケーシングの内部を流れる空気を清浄化する清浄化手段と、
前記第一吹出口及び第二吹出口から吹出す空気の風向を変更することが可能な風向可変機構と、
室内に存在する人を検出する人検出手段と、
前記第一送風手段、前記第二送風手段、及び前記風向可変機構を制御する制御手段と、
を備え、
前記制御手段は、前記人検出手段により人が検出されたときに、前記風向を人がいる方向に向ける風向制御を実行し、前記第一送風手段と前記第二送風手段の回転数に回転数差を設ける回転数制御を実行し、
前記制御手段は、前記回転数制御において、前記第一送風手段及び第二送風手段の何れか一方の回転を停止させる構成とした空気清浄機。
【請求項３】
前記人検出手段は、室内に存在する人の位置を検出可能に構成され、
前記制御手段は、前記第一人が前記第二人よりも遠くに位置する場合に、前記回転数制御において、前記第一送風手段の回転数が前記第二送風手段の回転数よりも高くなるように前記回転数差を設ける構成とした請求項１に記載の空気清浄機。
【請求項４】
前記ケーシングを水平方向に回転可能な水平回転機構を備えて成る請求項１から請求項３の何れか１項に記載の空気清浄機。
【請求項５】
前記第一送風手段を前記ケーシングの内部において支持するための第一支持部材と、
前記第二送風手段を前記ケーシングの内部において支持するための第二支持部材と、
を備え、
前記第一支持部材は前記第二支持部材と別体に構成されて成る請求項１から請求項４の何れか１項に記載の空気清浄機。
【請求項６】
前記第一送風手段と第一支持部材との間、及び前記第二送風手段と第二支持部材との間に、それぞれ防振部材を介在させて成る請求項５に記載の空気清浄機。
【請求項７】
前記吸込口から前記第一送風手段に至る第一吸込風路と、
前記吸込口から前記第二送風手段に至る第二吸込風路と、
前記第一送風手段から前記第一吹出口に至る第一排気風路と、
前記第二送風手段から前記第二吹出口に至る第二排気風路と、
を備え、
前記第一吸込風路の風路長が前記第二吸込風路の風路長の整数倍となるか、又は前記第一排気風路の風路長が前記第二排気風路の風路長の整数倍となるように構成されて成る請求項１から請求項６の何れか１項に記載の空気清浄機。
【手続補正２】
【補正対象書類名】明細書
【補正対象項目名】０００６
【補正方法】変更
【補正の内容】
【０００６】
この発明に係る空気清浄機は、室内の空気を吸込む吸込口と当該空気を吹出す第一吹出口及び第二吹出口とを有するケーシングと、吸込口からケーシングの内部に空気を吸込み、当該空気を第一吹出口から吹出す第一送風手段と、吸込口からケーシングの内部に空気を吸込み、当該空気を第二吹出口から吹出す第二送風手段と、ケーシングの内部を流れる空気を清浄化する清浄化手段と、第一吹出口及び第二吹出口から吹出す空気の風向を変更することが可能な風向可変機構と、室内に存在する人を検出する人検出手段と、第一送風手段、第二送風手段、及び風向可変機構を制御する制御手段と、を備え、制御手段は、人検出手段により人が検出されたときに、風向を人がいる方向に向ける風向制御を実行し、第一送風手段と第二送風手段の回転数に回転数差を設ける回転数制御を実行し、風向可変機構は、第一吹出口から吹出す空気の第一風向を変更することが可能な第一風向可変機構と、第二吹出口から吹出す空気の第二風向を変更することが可能な第二風向可変機構と、を含み、制御手段は、人検出手段により第一人及び第二人を含む複数の人が検出されたときに、風向制御において、第一風向を第一人がいる方向に向け、且つ第二風向を第二人がいる方向に向ける構成としたものである。
また、この発明に係る空気清浄機は、室内の空気を吸込む吸込口と当該空気を吹出す第一吹出口及び第二吹出口とを有するケーシングと、吸込口からケーシングの内部に空気を吸込み、当該空気を第一吹出口から吹出す第一送風手段と、吸込口からケーシングの内部に空気を吸込み、当該空気を第二吹出口から吹出す第二送風手段と、ケーシングの内部を流れる空気を清浄化する清浄化手段と、第一吹出口及び第二吹出口から吹出す空気の風向を変更することが可能な風向可変機構と、室内に存在する人を検出する人検出手段と、第一送風手段、第二送風手段、及び風向可変機構を制御する制御手段と、を備え、制御手段は、人検出手段により人が検出されたときに、風向を人がいる方向に向ける風向制御を実行し、第一送風手段と第二送風手段の回転数に回転数差を設ける回転数制御を実行し、制御手段は、回転数制御において、第一送風手段及び第二送風手段の何れか一方の回転を停止させる構成としたものである。
【国際調査報告】
2015198418.tif 000008
2015198418.tif 000009
2015198418.tif 000010
2015198418.tif 000011